【事件の表示】
　特許第２８１４５３９号「インク噴射プリンタの駆動装置、請求項の数：２」の特許に対する特許異議の申立てについて、次のとおり決定する。
【結　論】
　訂正を認める。
　特許第２８１４５３９号の請求項１に係る特許を維持する。
【理　由】
１．手続きの経緯
　特許第2814539号の請求項１および請求項２に係る発明は、平成1年4月17日に特許出願され、平成10年8月14日にその特許の設定登録がなされ、その後、金森英彦より特許異議の申立がなされ、取消理由通知がなされ、その指定期間内である平成12年3月28日に訂正請求がなされた（平成12年6月30日付けで取り下げ）後、訂正拒絶理由を兼ねた再度の取消理由通知がなされ、その指定期間内である平成12年6月30日に訂正請求がなされた（平成12年9月21日付けで取り下げ）後、訂正拒絶理由を兼ねた再々度の取消理由通知がなされ、その指定期間内である平成12年9月21日に新たに訂正請求がされたものである。
　
２．訂正の適否についての判断
（１）訂正の内容
（訂正事項ア）
　特許請求の範囲の「［請求項１］ノズル孔に連通する圧力室の容積を電歪素子の歪み力により変化させることでインク滴を吐出させるインク滴吐出手段を複数備えるインク噴射プリンタの駆動装置において、所定の電圧波形をインク滴吐出周期に同期させ繰り返し出力する駆動電圧波形発生手段と、前記駆動電圧波形発生手段の出力電圧を選択的に複数の前記電歪素子に直接供給するゲート手段を備えることを特徴とするインク噴射プリンタの駆動装置。
［請求項２］前記駆動電圧波形発生手段は、前記電圧波形の変更が可能であることを特徴とする請求項１記載のインク噴射プリンタの駆動装置。」を、
「（１）ノズル孔に連通する圧力室の容積を電歪素子の歪み力により変化させることでインク滴を吐出させるインク吐出手段を複数備えるインク噴射プリンタの駆動装置において、立ち上がり特性、及び立ち下がり特性が調節可能な走査電圧をインク滴吐出周期に同期させて繰り返し出力する駆動電圧波形発生手段と、前記駆動電圧波形発生手段の前記走査電圧を選択的に複数の前記電歪素子に直接供給するゲート手段と、を備え、前記ゲート手段が、前記インク吐出周期が到来する毎に、インクの吐出の有無に関わりなく所定時間オンにされ、かつインクを吐出しない場合には、前記所定時間のオンの後にオフにされ、またインクを吐出させるべき場合には、前記所定時間のオンの以後にも引き続いてオンの状態を維持して前記走査電圧を前記電歪素子に印加し、その後にオフにされるインク噴射プリンタの駆動装置。」に訂正する。
　
（訂正事項イ）
　明細書の「発明の詳細な説明」における「課題を解決するための手段」の項（特許公報第4欄第2行〜第11行目）を
「本発明のインク噴射プリンタの駆動装置は、ノズル孔に連通する圧力室の容積を電歪素子の歪み力により変化させることでインク滴を吐出させるインク吐出手段を複数備えるインク噴射プリンタの駆動装置において、立ち上がり特性、及び立ち下がり特性が調節可能な走査電圧をインク滴吐出周期に同期させて繰り返し出力する駆動電圧波形発生手段と、前記走査電圧を前記電歪素子に直接供給するゲート手段と、を備え、前記ゲート手段が、前記インク吐出周期が到来する毎にオン状態とされて、インクの吐出の有無に関わりなく所定時間導通され、かつインクを吐出しない場合には、前記所定時間導通された後にオフ状態にされ、またインクを吐出させるべき場合には、前記所定時間導通の以後も引き続いて導通状態を維持して前記走査電圧を前記電歪素子に印加し、その後にオフ状態にされことを特徴とする。」に訂正する。
　
（訂正事項ウ）
　明細書の「発明の詳細な説明」における「発明の効果」の項（特許公報第6欄第28行〜第34行目）を
「以上、説明したように本発明においては、ノズル孔に連通する圧力室の容積を電歪素子の歪み力により変化させることでインク滴を吐出させるインク吐出手段を複数備えるインク噴射プリンタの駆動装置において、立ち上がり特性、及び立ち下がり特性が調節可能な走査電圧をインク滴吐出周期に同期させて繰り返し出力する駆動電圧波形発生手段と、走査電圧を電歪素子に直接供給するゲート手段と、を備え、ゲート手段が、インク吐出周期が到来する毎にオン状態とされて、インクの吐出の有無に関わりなく所定時間導通され、かつインクを吐出しない場合には、所定時間導通された後にオフ状態にされ、またインクを吐出させるべき場合には、所定時間導通の以後も引き続いて導通状態を維持して走査電圧を電歪素子に印加し、その後にオフ状態にされるので、電歪素子のリーク抵抗で電荷が失われて待機状態のズレが生じることに起因してして次のインク吐出が正確に行われないことを防止しつつ、複数の電歪素子を一様に駆動して各ノズル間のインク滴吐出特性を揃えることができる。また、高精度の部品が不要であるので駆動部のＩＣ化が可能である。」に訂正する。
　
（２）訂正の目的の適否、新規事項の有無及び拡張・変更の存否
（訂正事項ア）
（ア−１）
　訂正事項アは、全体として請求項２を削除した上で請求項１を訂正したものとみることができ、請求項２を削除する訂正は特許請求の範囲の減縮を目的とするものである。
（ア−２）
「所定の電圧波形をインク滴吐出周期に同期させ繰り返し出力する駆動電圧波形発生手段と」を「立ち上がり特性、及び立ち下がり特性が調節可能な走査電圧をインク滴吐出周期に同期させて繰り返し出力する駆動電圧波形発生手段と」に訂正した点は、「所定の電圧波形」を、立ち上がり特性、及び立ち下がり特性が調節可能な走査電圧と限定したものであり、訂正事項（ア−２）は特許請求の範囲の減縮を目的とするものである。
　そしてこの点は願書に添付された明細書に記載された事項（特許公報第2頁第4欄第31行〜第3頁第5欄第21行または出願当初の明細書第15頁第9〜11行））であって、新規事項の追加には該当しないし、特許請求の範囲を実質的に拡張したり変更するものでもない
（ア−３）
「前記駆動電圧波形発生手段の出力電圧を選択的に複数の前記電歪素子に直接供給するゲート手段」を「記駆動電圧波形発生手段の前記走査電圧を選択的に複数の前記電歪素子に直接供給するゲート手段と、を備え、前記ゲート手段が、前記インク吐出周期が到来する毎に、インクの吐出の有無に関わりなく所定時間オンにされ、かつインクを吐出しない場合には、前記所定時間のオンの後にオフにされ、またインクを吐出させるべき場合には、前記所定時間のオンの以後にも引き続いてオンの状態を維持して前記走査電圧を前記電歪素子に印加し、その後にオフにされる」と訂正した点は、ゲート手段が駆動電圧波形発生手段の出力電圧を選択的に複数の電歪素子に直接供給する態様を具体的に規定したものであって、訂正事項（ア−３）は特許請求の範囲の減縮を目的とするものである。
　そしてこの点は願書に添付された明細書又は図面に記載された事項（特許公報第3頁第5欄第22行〜第31行、第２図または出願当初明細書第14頁第14行〜16行）であって、新規事項の追加には該当しないし、特許請求の範囲を実質的に拡張したり変更するものでもない
　以上のことから、訂正事項アは全体として特許請求の範囲の減縮を目的とするものであって、新規事項の追加には該当しないし、特許請求の範囲を実質的に拡張したり変更するものではない。
　
（訂正事項イ、ウ）
　訂正事項イ、ウは、特許請求の範囲の訂正に伴って、明細書の発明の詳細な説明の記載を整合させるため、「課題を解決するための手段」、「発明の効果」の項を訂正したものであり、明りょうでない記載の釈明を目的とするものであるし、新規事項の追加には該当しないし、特許請求の範囲を実質的に拡張したり変更するものではない。
　
（３）独立特許要件の判断
（ア）訂正明細書の請求項１に係る発明（以下、「本件発明」という。）
「（１）ノズル孔に連通する圧力室の容積を電歪素子の歪み力により変化させることでインク滴を吐出させるインク吐出手段を複数備えるインク噴射プリンタの駆動装置において、立ち上がり特性、及び立ち下がり特性が調節可能な走査電圧をインク滴吐出周期に同期させて繰り返し出力する駆動電圧波形発生手段と、前記駆動電圧波形発生手段の前記走査電圧を選択的に複数の前記電歪素子に直接供給するゲート手段と、を備え、前記ゲート手段が、前記インク吐出周期が到来する毎に、インクの吐出の有無に関わりなく所定時間オンにされ、かつインクを吐出しない場合には、前記所定時間のオンの後にオフにされ、またインクを吐出させるべき場合には、前記所定時間のオンの以後にも引き続いてオンの状態を維持して前記走査電圧を前記電歪素子に印加し、その後にオフにされるインク噴射プリンタの駆動装置。」
　
（イ）当審が取消理由通知及び訂正拒絶理由通知で引用した刊行物記載の発明
　刊行物１（特開昭５５−１２３４７６号公報）
ａ）・・・該各ノズルに対応して設けられたインク粒子取出し手段に所要の駆動電圧を印加し、これを駆動するための共通の電力源と、上記インク粒子取出し手段と電力源との間に介在され、前記情報信号によって制御されるスイツチング手段を備え、上記スイツチング手段を介して上記電力源の出力を前記インク粒子取出し手段に選択的に印加するようにしたことを特徴とするマルチノズルインクジエツト記録装置。（公報の特許請求の範囲の項）
ｂ）そこで電歪素子への印加電圧として非記録時にもオリフイスからインク粒子が噴出されない程度の低電圧信号を常時印加することによつてノズルの周波数特性を上げることができる。（公報第5頁第13行〜16行）
ｃ）従つてスイツチング素子39がオフ状態のときは電歪素子29のインピーダンスと前記インピーダンス素子42の値によつて決定される分圧比に従った電圧が電歪素子29に印加される。そしてスイツチング素子39のゲートＧにアンド回路37の出力信号が入力され、これが導通状態となると、前記インピーダンス素子42はこのスイツチング素子39によって短絡されるため、増幅器38の出力電圧はほぼ電歪素子29に印加されることになる。それ故、電歪素子29への印加電圧は第13図に示すように記録に必要なＶＨ（スイツチング素子39の導通時）と、被記録時の電圧ＶＬであり、これらの両電圧が常時電歪素子29に印加されることになる。（公報第6頁左上欄6行〜末行）
　刊行物２（特開昭６０−２３７２号公報）
　第6図の駆動装置においては、入力階調信号に従ってＤ−Ａ変換器22，24並びに増幅器23，25により圧電素子11及び12に印加される電圧Ｖ０及びＶ１が設定される。（公報第3頁右上欄末行〜左下欄第3行）
　
（ウ）対比及び判断
　本件発明を刊行物１記載の発明と対比すると、次のような一致点、相違点がある。
（一致点）
　ノズル孔に連通する圧力室の容積を電歪素子の歪み力により変化させることでインク滴を吐出させるインク吐出手段を複数備えるインク噴射プリンタの駆動装置において、走査電圧をインク滴吐出周期に同期させて繰り返し出力する駆動電圧波形発生手段と、前記駆動電圧波形発生手段の前記走査電圧を選択的に複数の前記電歪素子に供給する手段と、を備え、該手段が、前記インク吐出周期が到来する毎に、インクの吐出の有無に関わりなく所定の走査電圧を前記電歪素子に印加するインク噴射プリンタの駆動装置。
（相違点）
（ａ）駆動電圧波形発生手段が出力する走査電圧が、本件発明では立ち上がり特性、及び立ち下がり特性が調節可能であるのに対して、刊行物１記載の発明ではその第8図にあるように所定パルス幅のパルス信号と記載されているだけである点
（ｂ）走査電圧を選択的に複数の電歪素子に供給する手段であって、インク吐出周期が到来する毎に、インクの吐出の有無に関わりなく所定の走査電圧を電歪素子に印加する手段が、本件発明ではゲート手段であって、インク吐出周期が到来する毎に、インクの吐出の有無に関わりなく所定時間オンにされ、かつインクを吐出しない場合には、所定時間のオンの後にオフにされ、またインクを吐出させるべき場合には、所定時間のオンの以後にも引き続いてオンの状態を維持するもの、すなわち、ゲート手段の開放時間を制御するものであるのに対して、刊行物１記載の発明では、インクを吐出しない場合は走査電圧をインクが吐出しない程度の低い電圧に制御して電歪素子に印加し、インクを吐出する場合は、走査電圧を直接電歪素子に印加するものである点
（相違点の検討）
　相違点（ａ）については、刊行物２に電歪素子に印加する電圧値を調節可能とすることは記載されていても、立ち上がり特性及び立ち下がり特性を調節可能にする点は記載されておらず、相違点（ａ）が当業者が容易に考えつくことができた構成の変更であるとすることはできない。
　相違点（ｂ）については、ゲート手段の開放時間を制御することによって、インクの吐出の有無に関わりなく所定の走査電圧を直接電歪素子に印加するるとともに、その後インクの吐出の有無によって選択的に走査電圧を直接電歪素子に印加するという技術思想は、刊行物１にはもちろんのこと、刊行物２にも記載されていないから、この点が当業者が容易に考えつくことができた構成の変更であるとすることはできない。
　したがって、本件発明が刊行物１及び２記載の発明に基づいて、当業者が容易に発明をすることができたとすることができない。
　
（エ）当審による平成12年5月2日付けの取消理由通知で指摘した明細書の記載要件不備については、訂正により請求項２が削除されたので、明細書の発明の詳細な説明に、請求項２記載の発明に関して当業者が実施できる程度に構成が記載されていないとすることはできないし、訂正前の請求項２における「電圧波形の変形」が訂正後の請求項１の「立ち上がり特性及び立ち下がり特性が調節可能な走査電圧」に対応するものであるとしても、その点については発明の詳細な説明中に記載されている（特許公報第4欄42行〜45行、第5欄13行〜15行）。
　したがって、本件発明に係る出願は、明細書及び図面の記載が不備であって特許法第36条第3項に規定する要件を満たしていない、とすることはできない。
　
（オ）まとめ
　したがって、本件発明は特許出願の際独立して特許を受けることができるものである。
　
（４）結び
　以上のとおりであるから、上記訂正は、平成６年改正法附則第6条第1項の規定によりなお従前の例によるとされる、平成11年改正前の特許法第120条の4第3項において準用する平成6年改正法による改正前の特許法第126条第1項ただし書、第2項及び第3項の規定に適合するので、当該訂正を認める。
　
３．特許異議申立についての判断
（ア）申立の理由の概要
　申立人　金森英彦は、請求項１に係る発明は、甲第１号証（特開昭55-123476号公報）に記載された発明に基づいて容易に発明することができたものであり、請求項２に係る発明は、甲第１号証に加えて甲第２号証（特開昭60-2372号公報）に記載された発明に基づいて容易に発明することができたものであるから、特許法第29条第2項の規定により特許を受けることができないものであり、特許法第113条第2号に該当し、特許を取り消すべき、と主張している。
（イ）判断
　本件発明は、上記２．（３）独立特許要件、で示したように、甲第１号証及び甲第２号証（それぞれ、当審による取消理由通知で示した上記刊行物１、２に対応）に記載された発明から容易に発明をすることができたものとすることはできないし、本件発明に係る出願が明細書及び図面の記載が不備であって、特許法第36条第3項に規定する要件を満たしていないとすることもできない。
　以上のとおりであるから、特許異議の申立ての理由によっては本件発明についての特許を取り消すことはできない。
　また、他に本件発明を取り消すべき理由を発見しない。
　したがって、本件発明についての特許は拒絶の査定をしなければならない特許出願に対してされたものと認めない。
　よって、平成６年改正法附則第14条の規定に基づく、特許法等の一部を改正する法律の施行に伴う経過措置を定める政令（平成７年政令第205号）第4条第2項の規定により、上記のとおり決定する。
【異議決定日】
平成１２年１０月１０日（２０００．１０．１０）
【訂正の要旨】
訂正の要旨
１．　特許請求の範囲の「［請求項１］ノズル孔に連通する圧力室の容積を電歪素子の歪み力により変化させることでインク滴を吐出させるインク滴吐出手段を複数備えるインク噴射プリンタの駆動装置において、所定の電圧波形をインク滴吐出周期に同期させ繰り返し出力する駆動電圧波形発生手段と、前記駆動電圧波形発生手段の出力電圧を選択的に複数の前記電歪素子に直接供給するゲート手段を備えることを特徴とするインク噴射プリンタの駆動装置。
［請求項２］前記駆動電圧波形発生手段は、前記電圧波形の変更が可能であることを特徴とする請求項１記載のインク噴射プリンタの駆動装置。」
を、特許請求の範囲の減縮を目的として、
「（１）ノズル孔に連通する圧力室の容積を電歪素子の歪み力により変化させることでインク滴を吐出させるインク吐出手段を複数備えるインク噴射プリンタの駆動装置において、立ち上がり特性、及び立ち下がり特性が調節可能な走査電圧をインク滴吐出周期に同期させて繰り返し出力する駆動電圧波形発生手段と、前記駆動電圧波形発生手段の前記走査電圧を選択的に複数の前記電歪素子に直接供給するゲート手段と、を備え、前記ゲート手段が、前記インク吐出周期が到来する毎に、インクの吐出の有無に関わりなく所定時間オンにされ、かつインクを吐出しない場合には、前記所定時間のオンの後にオフにされ、またインクを吐出させるべき場合には、前記所定時間のオンの以後にも引き続いてオンの状態を維持して前記走査電圧を前記電歪素子に印加し、その後にオフにされるインク噴射プリンタの駆動装置。」
に訂正する。
２．特許公報の第２頁第４欄第２行〜第１２行目に掲載された明細書の記載「本発明の・・・［実施例］」を、明りょうでない記載の釈明を目的として、
「本発明のインク噴射プリンタの駆動装置は、ノズル孔に連通する圧力室の容積を電歪素子の歪み力により変化させることでインク滴を吐出させるインク吐出手段を複数備えるインク噴射プリンタの駆動装置において、立ち上がり特性、及び立ち下がり特性が調節可能な走査電圧をインク滴吐出周期に同期させて繰り返し出力する駆動電圧波形発生手段と、前記走査電圧を前記電歪素子に直接供給するゲート手段と、を備え、前記ゲート手段が、前記インク吐出周期が到来する毎にオン状態とされて、インクの吐出の有無に関わりなく所定時間導通され、かつインクを吐出しない場合には、前記所定時間導通された後にオフ状態にされ、またインクを吐出させるべき場合には、前記所定時間導通の以後も引き続いて導通状態を維持して前記走査電圧を前記電歪素子に印加し、その後にオフ状態にされことを特徴とする。　［実施例］」
に訂正する。
３．特許公報の第３頁第６欄第２８行〜第３５行目に掲載された明細書の記載「以上述べた・・・［図面の簡単な説明］」を、明りょうでない記載の釈明を目的として、
「以上、説明したように本発明においては、ノズル孔に連通する圧力室の容積を電歪素子の歪み力により変化させることでインク滴を吐出させるインク吐出手段を複数備えるインク噴射プリンタの駆動装置において、立ち上がり特性、及び立ち下がり特性が調節可能な走査電圧をインク滴吐出周期に同期させて繰り返し出力する駆動電圧波形発生手段と、走査電圧を電歪素子に直接供給するゲート手段と、を備え、ゲート手段が、インク吐出周期が到来する毎にオン状態とされて、インクの吐出の有無に関わりなく所定時間導通され、かつインクを吐出しない場合には、所定時間導通された後にオフ状態にされ、またインクを吐出させるべき場合には、所定時間導通の以後も引き続いて導通状態を維持して走査電圧を電歪素子に印加し、その後にオフ状態にされるので、電歪素子のリーク抵抗で電荷が失われて待機状態のズレが生じることに起因してして次のインク吐出が正確に行われないことを防止しつつ、複数の電歪素子を一様に駆動して各ノズル間のインク滴吐出特性を揃えることができる。また、高精度の部品が不要であるので駆動部のＩＣ化が可能である。［図面の簡単な説明］」
に訂正する。
（５４）【発明の名称】
インク噴射プリンタの駆動装置
（５７）【特許請求の範囲】
（１）ノズル孔に連通する圧力室の容積を電歪素子の歪み力により変化させることでインク滴を吐出させるインク吐出手段を複数備えるインク噴射プリンタの駆動装置において、
　
立ち上がり特性、及び立ち下がり特性が調節可能な走査電圧
て
　前記駆動電圧波形発生手段の
前記走査電圧
と、
、
　
前記ゲート手段が、前記インク吐出周期が到来する毎に、インクの吐出の有無に関わりなく所定時間オンにされ、かつインクを吐出しない場合には、前記所定時間のオンの後にオフにされ、またインクを吐出させるべき場合には、前記所定時間のオンの以後にも引き続いてオンの状態を維持して前記走査電圧を前記電歪素子に印加し、その後にオフにされる
【発明の詳細な説明】
〔産業上の利用分野〕
　本発明は、インク室を電歪素子で圧縮して、インク滴をノズル孔より吐出し記録を行うインク噴射プリンタの駆動装置に関する。
〔従来技術〕
　本発明に係る従来技術を第６図、第７図、及び第８図をもとに説明する。
　第６図は、従来のインク噴射プリンタの駆動装置を示すものであって、符号１は高圧電源で出力電圧Ｖ０（５０〜２００Ｖの範囲の安定化され電圧）を出力し、Ｐ型のトランジスタＴＲｌを介して後述する複数の電歪素子の駆動回路に電力を供給している。符号２は、その電歪素子の駆動回路の１つを示すもので、ダイオードＤｉと抵抗Ｒｌｉを介して、電歪素子６ｉを充電し、Ｎ型のトランジスタＴＲＤｉを導通することで、抵抗Ｒ２ｉを介して電歪素子６ｉの電荷を放電する構成としている。
　また、高圧電源１の出力端子から直接大きな抵抗値の抵抗Ｒ３ｉを介して電歪素子６ｉを充電する構成としている。これにより、トランジスタＴＲ１及びＴＲＤｉが伴に非導通状態の待機時には、第７図（ａ）に示すように、抵抗Ｒ３ｉを介して全電歪素子６ｉは、電圧ＶＯに充電された状態で圧力室を収縮状態に維持する。
　第７図は、インク噴射の原理を示す断面図で、符号４はノズル孔８を有するノズル基材、符号５は電歪素子６ｉを固着してある弾性基材である。散点で示す符号７はノズル基材４と弾性基材５の間に形成された圧力室中のインクを示している。第７図（ａ）は、上述したように、電歪素子６ｉが抵抗３Ｒｉを介して電圧ＶＯに充電されて、圧力室を収縮させるよう歪んでいる待機状態を示しており、第７図（ｂ）は、トランジスタＴＲ１がＯＦＦ、ＴＲＤｉがＯＮで、電歪素子６ｉが十分放電され、圧力室が拡大している状態を示している。また、第７図（ｃ）は、トランジスタＴＲ１がＯＮで、ＴＲＤｉがＯＦＦ時の状態を示しており、この時ノズル孔８よりインクが吐出する。その後、インク流れが静まって、第７図（ａ）の待機状態に戻る。尚、図中の矢印は、インク流れを示している。
　第８図は、第７図（ａ）乃至（ｃ）の状態をタイミング図として示したもので、第８図（ａ）がトランジスタＴＲ１のＯＮとＯＦＦのタイミングで、第８図の（ｂ）の実線がトランジスタＴＲＤｉをＯＮとしてインクを吐出させる場合の電歪素子６ｉの端子電圧を、波線がＴＲＤｉがＯＦＦでインクを吐出させない時の電歪素子６ｉの端子電圧を示している。
　第８図（ｂ）の実線で示すインクを吐出させる場合は、電歪素子６ｉの電荷を図のＡの様に抵抗Ｒ２ｉを介して緩やかに放電して圧力室を拡大している。これは、電歪素子６ｉのダンピングが生じないようにするためであり、これにより、次に電歪素子６ｉを充電して圧力室を収縮させると、所定量のインク滴を吐出できるようになる。また、インク滴吐出のための充電も、電歪素子６ｉのダンピングにより微小インク滴が主インク液吐出後に生じないように抵抗Ｒ１ｉを介して抑制する必要がある。
〔発明が解決しようとする課題〕
　従って、第６図に示す駆動回路では、電歪素子６ｉは静電容量があることから抵抗Ｒ１ｉ、Ｒ２ｉ、Ｒ３ｉ、ダイオドＤｉにより電歪素子６ｉの駆動特性は影響を受け、結果として各ノズル間のインク滴吐出特性がばらつく。また、電歪素子６ｉの駆動特性を一様にするには高精度の部品が要求され駆動回路をＩＣ（集積）化するに容易でなく、ノズル数が２４、６４と・・・多くなればなる程より困難になる。
　本発明はこの様な問題に鑑みてなされたものであって、その目的とするところは、複数の電歪素子の駆動特性を容易に一様にし、結果として各ノズル間のインク滴吐出特性を容易に揃えることが可能なインク噴射プリンタの駆動装置を提供するものである。また、駆動回路のＩＣ化もはかれるインク噴射プリンタの駆動装置を提供するものである。
〔課題を解決するための手段〕
　本発明のインク噴射プリンタの駆動装置は、ノズル孔に連通する圧力室の容積を電歪素子の歪み力により変化させることでインク滴を吐出させるイン
ク吐
立ち上がり特性、及び立ち下がり特性が調節可能な走査電圧
て
走査電圧を前記電歪素子
と、
、前記ゲート手段が、前記インク吐出周期が到来する毎にオン状態とされて、インクを吐出の有無に関わりなく所定時間導通され、かつインクを吐出しない場合には、前記所定時間導通された後オフの状態にされ、またインクを吐出させるべき場合には、前記所定時間導通の以後も引き続いて導通状態を維持して前記走査電圧を前記電歪素子に印加し、その後にオフ状態にされ
〔実施例〕
　第１図は、本発明のインク噴射プリンタの駆動装置の具体的構成を示す図であり、第６図の従来の駆動装置と同一手段又は同意味を有するものは、同じ番号または符号を付してある。
　符号ｌ０は、高圧電源の電圧Ｖ０を入力として、走査電圧ＶＶを発生する駆動電圧波形発生手段であり、走査電圧ＶＶは選択的にゲート手段ＴＧｉを導通することで電歪素子６ｉに与えられる。
　符号ｌ１は電歪素子６ｉの駆動周波数より充分高いクロックｆ０で作動して、上記駆動電圧波形発生手段１０に制御信号を与える制御手段であり、符号２２は駆動信号発生手段で信号線２３の信号で制御手段１ｌと同期をとる様にして作動する。ライン２４はゲート手段ＴＧｉの導通を制御する信号線で、該信号線の信号電圧レベルは、レベル変換器２５で変換されて、ゲート手段ＴＧｉの制御端子に接続された信号線２６に出力されている。
　次に、第１図に示した駆動装置の動作原理を説明する。
　駆動電圧波形発生手段ｌ０は、トランジスタＴＲ１が導通すると、コンデンサーＣ１を第１のコイルＬ１を介して、電圧Ｖ０に向かって充電する。トランジスタＴＲ１が遮断すると、コイルＬ１に蓄積された電磁エネルギーによる電流がコイルＬ１−コンデンサＣ１−ダイオードＰＤ１のループで流れて、コンデンサＣ１を電力損失を少なくして更に充電する。このトランジスタＴＲ１の導通／遮断をクロックｆ０で繰り返し行うと、出力電圧（コンデンサＣｌの端子電圧）を抵抗Ｒ４とＲ５で分圧した電圧が信号線２１を介して制御手段１１の第１比較器１６の反転入力に帰還されているので、Ｄ／Ａ変換器１５が出力する電圧値に応じた所定の値に出力電圧が上昇し維持されることになる。従って、Ｄ／Ａ変換器１５の出力電圧値を、所定の時間をかけて段階的に上げて行けば、それに応じて走査電圧ＶＶの上昇を制御することができる。第２カウンタ１４は、走査電圧ＶＶの上昇期間では、Ｄ／Ａ変換器ｌ５の出力を階段状に上昇させて行くためのデータを出力するもので、クロックｆ０を第１カウンタで分周したクロックを計数すること動作する。この時ゲート手段ＴＧｌを導通すれば、電歪素子６ｉは充電されて圧力室を収縮し待期状態になる。
　走査電圧ｖｖを緩かに下降させる場合は、同様にクロックｆ０により、トランジスタＴＲ２の導通／遮断を繰り返し制御する。この場合、トランジスタＴＲ２を導通すると、第２のコイルＬ２に電磁エネルギーが蓄積され、蓄積されたエネルギーは、トランジスタＴＲ２を遮断することで、ダイオードドＰＤ２を介して矢印の方向に流れてコンデンサーＣ０に電力を帰還する。これにより、出力電圧を下降させる。従って電力損失を小さくできる。
　出力電圧（コンデンサＣ１の端子電圧）は、抵抗Ｒ４とＲ５で分圧され、制御手段１１の第２比較器１９の非反転入力に帰還されているので、Ｄ／Ａ変換器ｌ８が出力する電圧値に応じた所定の値に出力電圧が下降し維持されることになる。従って、Ｄ／Ａ変換器ｌ８の出力電圧値を、所定の時間をかけて緩やかに段階的に下げて行けば、それに応じて走査電圧ＶＶの下降を制御することができる。この走査電圧ＶＶの下降期間では、第２カウンタｌ４は、第１のカウンタの出カクロックを計数し、Ｄ／Ａ変換器１８に計数値を出力する。尚、符号１７、２０は、第１の比較器１７または第２の比較器ｌ９と、クロックｆ０との論理積をとり、トランジスタＴＲ１またはトランジスタＴＲ２の制御信号として出力するＡＮＤゲートである。
　第２図は、上述の走査電圧ＶＶの出力動作を示したもので、第２図（ａ）の実線がトランジスタＴＲ１とＴＲ２の電圧制御目標点で、実際の走査電圧ＶＶは、少し遅れて波線で示したような出力になる。第２図（ｂ）は、ゲート手段ＴＧｉの開閉タイミングを示す図であり、ゲート手段ＴＧｉは、必ず繰返周期Ｔの所定時で必ず導通され、電歪素子６ｉの待機状態を保持する様にしている。これは、電歪素子６ｉのリーク抵抗で電荷が失われ、待期状態がずれてしまい、次のインク吐出が正確に行えなくなることを防止するために行うものである。また、第２図（ｃ）は、弾性基材５の変位量を示すもので、Ｘ０が平均的な待期状態の変位であり、インク吐出後には図に示す様に固有振動による週変位がある。これが余り大きいと、適切なインクの吐出量が確保出来ない。それ故、電歪素子６ｉの充電を最適にする為に、走査電圧ＶＶの電圧波形を調整する必要性があり、図示していないが、第１カウンタｌ３、第２カウンタｌ４は、プログラム可能なものが良い。
　次に、第３図でゲート手段ＴＧｉの具体例を説明する。
　符号３０と符号３ｌは、Ｐ型とＮ型のトランジスタで、入力信号を反転する所謂Ｃ−ＭＯＳインバータであり、符号３２と符号３３は、Ｐ型とＮ型のトランジスタで、Ｉ０１とＩ０２の両方向にスイッチするゲートを構成している。この様にＣ−ＭＯＳでゲート手段ＴＧｉを構成すれば、過渡時のみ電力消費する効率の高いゲート手段が構成出来る。
　第４図では、レベル変換も含めたゲート手段ＴＧｉを説明している。トランジスタ３６とトランジスタ３７、トランジスタ３８とトランジスタ３９は、Ｃ−ＭＯＳインバータで、互にドレイン電極とゲート電極を接続してフリツプ・フロツブを形成している。ゲート電極には、トランジスタ４ｌとトランジスタ４２を配している。トランジスタ４１のゲートには入力信号３４を直接に、また、トランジスタ４２のゲートにはＣ−ＭＯＳインバータ４０を介した信号を与える。この様にすると、入力信号３４が駆動電圧Ｖ０より低くても、同相がＱ端子に逆相がＱ端子に電圧ＶＯとＧＮＤ電位で発生させることが出来る。この場合も過渡時のみ電力消費が発生するだけである。ＱとＱ端子の出力を、第３図と同じくトランジスタ３２とトランジスタ３３のゲートに入力してゲート手段にする。
　更に、別のゲート手段のＴＧｉの構成例を第５図に説明する。図中の符号３５は、第４図の波線で囲まれたフリップフロップ３５と同じものを示しており、端子Ｑがハイであると、トランジスタ４２が導通して出力端子Ｉ０３は走査電圧ＶＶに従う。Ｑ端子がローになるとトランジスタ４２は非導通でトランジスタ４１が導通し、出力端子Ｉ０３は電圧Ｖ０に向って上昇する。この場合は、走査電圧ＶＶの立上り特性は関係なくなるので、第１図で第２カウンタの出力をＤ／Ａ変換器１５、第１の比較器１６を通さず直接的にＡＮＤゲート１７に接続しても良い。また、ダイオードＰＤ１とコイルＬ１も省略してもよい。
〔発明の効果〕
　以上
、説明したように
おいては、ノズル孔に連通する圧力室の容積を電歪素子の歪み力により変化させることでインク滴を吐出させるインク吐出手段を複数備えるインク噴射プリンタの駆動装置において、立ち上がり特性、及び立ち下がり特性が調節可能な走査電圧
て
と、走査電圧を
と、を備え、ゲート手段が、インク吐出周期が到来する毎にオン状態とされて、インクの吐出の有無に関わりなく所定時間導通され、かつインクを吐出しない場合には、所定時間導通された後にオフ状態にされ、またインクを吐出させるべき場合には、所定時間導通の以後も引き続いて導通状態を維持して走査電圧を電歪素子に印加し、その後にオフ状態にされるので、電歪素子のリーク低抗で電荷が失われて待機状態のズレが生じることに起因してして次のインク吐出が正確に行われないことを防止しつつ、複数の電歪素子を一様に駆動して
【図面の簡単な説明】
第１図は本発明の実施例の具体的構成を示す図である。第２図は本発明の作動例を示す図である。第３図は本発明に用いるゲート手段の構成例を示す図である。第４図は本発明に用いるゲート手段の入力信号のレベル変換機能も含めた他の構成例を示す図である。第５図は本発明に用いるゲート手段の更に他の構成例を示す図である。第６図は本発明に係る従来技術を説明する図である。第７図はインク噴射プリンタの作動原理を示す図である。第８図は作動タイミングを示す図である。